(57)【要約】  水平面と所定の角度を成す本体に形成されたローラー部材に背中をかけたまま、上部本体上部に形成された把持棒を握って懸垂運動をすることができ、また、腕に力を入れる方向と使用者の体が動く方向が互いに異なる独特の構造を有する懸垂運動器具が提示される。
2016501076.tif 000002
【特許請求の範囲】
【請求項１】
下部のベース部材（１５０）と；
前記ベース部材の一側上方へ所定傾斜を成して形成される一対の平行する本体（１００、１０１）と；
前記本体の間の空間に形成され、使用者が背中をかけることができる背もたれ部材（６００）と；
前記本体（１００、１０１）の後方を支えるために、前記ベース部材（１５０）の上方に形成され、前記本体（１００、１０１）と結合される支持体（１４０）と；
前記本体（１００、１０１）の上方に結合され、前記本体（１００、１０１）が成す面と隔離した位置に形成される把持棒（２００）と；を含み、
前記背もたれ部材（６００）は、前記一対の本体（１００、１０１）の間の空間に多数で形成されるローラー軸（６２０）及びローラー軸に挿入されて回動可能なローラー部材（６２０）を含み、
前記本体（１００、１０１）と把持棒（２００）は曲がった把持棒連結部（２１０、２１１）によって連結されている、体を斜めに横たえて行う懸垂運動器具。
【請求項２】
前記二つの本体の下部一側を横切って足場（５００）がさらに形成されていることを特徴とする、請求項１に記載の体を斜めに横たえて行う懸垂運動器具。
【発明の詳細な説明】
【技術分野】
【０００１】
本発明は、懸垂を容易に行うことができる装置に関する技術分野に属する。
【背景技術】
【０００２】
過去には、腰の疾患が高齢者のみに局限されていたが、現代人は老若男女問わず各種電子機器の使用及び不適切な生活習慣などによって腰痛を訴える事例が多い。
【０００３】
脊椎側湾症がその代表的な例で、これは脊椎が左側または右側に曲がることで、これは肥満によりお腹が出たり、学習姿勢や業務姿勢が正しくなくて生じる病気である。
【０００４】
それ以外にも、人々は各種原因によって腰痛を訴えており、これを解決するための一つの方法として脊椎を真っ直ぐ伸ばしてくれる各種運動が勧められている。懸垂運動も体を垂直に伸ばす運動の一つとして、体の筋肉を均一に使うことができ、体の全体バランスを保持するのに良い運動である。
【０００５】
学校の運動場及び体力練習場には懸垂運動のための鉄棒が設置されている。懸垂運動は体の筋力を鍛えるのに非常に良い運動であるが、腕の力のみで体重を上昇させるため、懸垂運動を繰り返し容易にできる人は珍しい。懸垂を数回行うだけでは筋力を強化することができない。
【０００６】
通常の学校運動場などに設置されている鉄棒はただ設置されているだけで、活用する人はほとんどない実情に鑑みて、筋力の弱い老若男女誰でも容易に懸垂運動をすることができるようにする装置が本発明に提供される。
【０００７】
一方、懸垂をするための鉄棒は野外のみに設置されるという先入観から抜け出して、本発明では家庭内或は事務室のような室内に簡単に設置して、普段にも懸垂運動による健康増進に役に立つ装置を提供する。
【発明の概要】
【発明が解決しようとする課題】
【０００８】
水平面と所定角度を成しながら斜めに設置された平行する本体の間に形成された多数のローラー部材に背中をかけたまま、本体の上部に形成された把持棒を握って容易に懸垂運動をすることができる装置を提供する。
【０００９】
また、把持棒を手で引っ張ることにより使用者の頭上部が把持棒にぶつからない懸垂運動器具を提供する。
【課題を解決するための手段】
【００１０】
下部のベース部材１５０と；
上記ベース部材の一側上方へ所定曲線の傾斜を成して形成される一対の平行する本体１００、１０１と；
上記本体の後方を支持するために、上記ベース部材の上方に形成され、上記本体と結合される支持体１４０と；
上記本体の上方に結合され、本体が成す面と隔離される位置に形成される横パイプ状の把持棒２００と；を含むことを特徴とする懸垂運動器具を提供する。
【発明の効果】
【００１１】
本発明によってローラー部材に背中をかけたまま斜めに横たえて把持棒を引っ張れば、非常に容易に懸垂運動をすることができ、室外だけではなく室内でも便利に用いられ使用者の健康増進に有益である。
【図面の簡単な説明】
【００１２】
【図１】本発明の好ましい実施例による懸垂運動器具の斜視図である。
【図２】折り畳まれた状態の懸垂運動器具である。
【図３】従来の懸垂運動をする人の側面図である。
【図４】本発明の運動力学的説明のための図面である。
【図５】本発明の試製品の撮影写真である。
【図６】各種運動方法を説明するための図面である。
【図７】各種運動方法を説明するための図面である。
【図８】各種運動方法を説明するための図面である。
【図９】各種運動方法を説明するための図面である。
【図１０】各種運動方法を説明するための図面である。
【図１１】各種運動方法を説明するための図面である。
【発明を実施するための形態】
【００１３】
発明を実施するための最善の形態は次のとおりである。
下部のベース部材１５０と；
上記ベース部材の一側上方に所定傾斜を成して形成される一対の平行する本体１００、１０１と；
上記本体の間の空間に形成され、使用者が背中をかけることができる背もたれ部材６００と；
上記本体の後方を支持するために、上記ベース部材の上方に形成され、上記本体と結合される支持体１４０と；
上記本体の上方に結合され、本体が成す面と隔離した位置に形成される横パイプ状の把持棒２００と；を含む。
上記背もたれ部材６００は、上記本体の間の空間に多数形成されるローラー軸６２０及びローラー軸に挿入されて回動可能なローラー部材６２０を含むことができる。
上記本体と把持棒は「Ｕ」字状の把持棒連結部２１０、２１１によって連結され、「Ｕ」字状の内部空間を通じて、使用者の頭が出入可能になる。
【実施例】
【００１４】
以下図面を参照して本発明の好ましい実施例を説明する。
本発明の権利範囲は実施例に限定されなく、特許請求の範囲と均等な範囲内で把握すべきである。
【００１５】
図１は本発明の好ましい実施例による懸垂運動器具の斜視図であり、図２は折り畳まれた状態の懸垂運動器具であり、図３は従来の懸垂運動をする人の側面概略図であり、図４は本発明の運動力学的な説明のための図面であり、図５は本発明の試製品の撮影写真であり、図６〜図９は各種運動方法を説明するための図面である。
【００１６】
図３は従来の鉄棒で使用者が懸垂運動をする場面を簡略に示したもので、手で鉄棒を取って引っ張れば体が垂直上方へ上がるようになり、腕を曲げるとともに、頭が鉄棒にぶつからないように、顔を鉄棒の後方に反らしながら、懸垂動作をする。
【００１７】
前述したように、このような従来の懸垂動作は腕の筋力が十分な人ではなければ非常にやりにくい運動で、生活用スポーツとして位置付けられない主な原因である。
【００１８】
本発明は図１及び図２に示したように、全体構造物を支えているベース部材１５０の一側上方へ水平面と所定角度を成しながら傾斜した本体１００と、上記本体の上端に連結され、使用者が手で握ることができる水平棒である把持棒２００が形成されているという特徴がある。
【００１９】
本体はパイプ状に形成されることが好ましく、直線或いは曲線、または直線と曲線の組合で形成されることができる。
【００２０】
上記本体が傾斜されていることからこれを支える支持体１４０が本体１００の後方に形成されている。勿論、支持体と本体は一つのボディーに形成されることもできる。
【００２１】
上記傾斜した本体は、好ましくは二つの平行するパイプで形成される（１０１、１０１）。
【００２２】
このようなパイプ状の本体１００、１０１の間の空間には背中を支える背もたれ部材であるローラー部材６００が形成される。ローラーはローラー軸６２０を中心に自由に回動されるので、使用者が体を寄り掛けたまま体を移動させることが容易な適切な手段である。
【００２３】
背もたれ部材は板状やその他摩擦力の少ない何れかの部材を用いることができる。
【００２４】
ローラー部材の表面には指圧のための手段を付着することができることは勿論、好みによってクッション手段をさらに形成することもできる。
【００２５】
使用者はこのようなローラー部材に背中をかけたまま把持棒２００を取って、腕の腕力を利用して体をローラー部材の上方へ引き上げることで懸垂運動を行う。
【００２６】
上記ローラー部材６００は上下端にかけて平行に多数で形成されたローラー軸６２０に挿入されている。このようなローラー部材の形態及び大きさは多様に形成されることができる。
【００２７】
ローラー部材が設置される位置は、地上から約５０ｃｍから約２．５ｍの位置に形成されることが好ましいが、幼児のための超小型に製作されることもでき、その設置される位置は非常に多様に変更可能である。
【００２８】
一方、最下端のローラー部材の下部側には足場５００が形成されることができる。このような足場は運動者が立ち上がることができ、図９の使用場面のように座ったり起きたりする運動をする時にも非常に有用である。
【００２９】
足場５００は図１の状態で図２のように折り畳むことができるようにヒンジ構造を一側に備えることが好ましい。
【００３０】
本体１００の最上部には「U」字状の曲線を成して把持棒連結部２１０、２１１が形成され、その端部には直線状の把持棒２００が二つの把持棒連結部の端部を連結するように形成される。
【００３１】
図６及び図７には本発明を利用した典型的な運動方法が示されている。本発明の装置は把持棒２００が本体１００、１０１が成す面とは分離されているという点でその特徴がある。
【００３２】
通常の鉄棒は、把持棒に当たる鉄棒が鉄棒柱に直接連結されているが、本発明は手で握る把持棒が空間上で本体１００、１０１によって成す面とは空間「Ｅ」（図７）だけ隔離され、その間の空間では図７のように使用者の頭が懸垂運動をすることによって、上ったり下ったりすることができるようになる。 隔離される「Ｅ」空間は大人の場合、３０ｃｍ以上が好ましく、幼児、青少年の用途の場合には、これよりもっと小さくすることが必要である。
【００３３】
本発明は懸垂をする運動と言うより、腕の腕力を利用して全身の筋力を強化させる新しい運動に当たる。
【００３４】
図４では本発明の運動力学的面を説明するための図面である。使用者がローラー部材に背中をかけて図６のように姿勢を取った状態で図７のように手で把持棒２００を引っ張る時の力を「Ｆ」で表示した。そして、力「Ｆ」によって使用者の体が移動される方向を変位ベクトル 「Ｄ」で表示した。通常の鉄棒運動では「Ｆ」と「Ｄ」の方向が一致するが、本発明では「Ｆ」と「Ｄ」が所定の角度を成していることに特徴がある。使用者はローラー部材６００に寄り掛けたままであるので、通常の鉄棒器具で懸垂運動をする時よりさらに小さい力でも、本装置を利用することができる。
【００３５】
図４の「Ａ」区間は本体の下部に当たり、これは使用者の体の足後面に対応する領域で、ほぼ直線で形成されている。
【００３６】
そして図４の「Ｂ」区間は使用者の背中部分が主に触れる領域に当たり、「Ａ」区間と「Ｂ」区間が互いに会う地点は使用者の腰の付近になり、ローラー部材によって腰推がよく支えられることができる。
【００３７】
「Ａ」及び「Ｂ」区間は全体的には傾斜されており、直線或いは若干の湾曲が形成されることができる。
【００３８】
一方、図６の状態で使用者の体と水平面で成す角度は、図７のように使用者の体が上方へ上がるにつれて漸次に使用者の体は横たわり、図７の位置では腕の筋力がそれほど必要なくなるという特徴がある。即ち、図６の筋力をたくさん使い始める位置から漸次に筋力を減らす図７に至るまで持続的に腕に必要な力が減少されるという点が既存の鉄棒とは完全に異なる。図１０でこのような特徴をグラフ化して示した。即ち水平面から体重心まで遠くなるほど腕に掛かる力が少なくなることを示している。
【００３９】
図５の写真では支持体１４０を垂直に形成して本体に溶接固定した試製品を示している。
【００４０】
当業者であれば、ベース部材１５０の後尾部分にジョイント３１０を設置し、支持体１４０を回動可能にすることができ、また、本体連結部１４５と本体１００、１０１を結合して支持体が後方に反らされないようにする手段（図示しない）をさらに形成することも可能である。たとえばこのような手段の例として支持体１４０とローラー軸６２０を共に囲んで相互結束させるリング部材（図示しない）を具備することもできる。
【００４１】
ベース部材１５０の前面部にもジョイント３００を形成して、本体１００、１０１の傾きを調節することもでき、これは使用者の筋力、身長、体重などを考慮して適切に選択することができる。
【００４２】
図２は本発明の装置の使用終了後、折って体積を減らすことができることを示している。
【００４３】
本発明の装置を構成する材料は、金属、木材、プラスチック、その他の材料は設置された状況に応じて適切に使うことができることは勿論である。
【００４４】
図８及び図９のような運動は使用者の下体を丈夫にさせると共に、背中をさらに刺激するので、体力が弱まっている老弱者に特に有用な運動方法である。
【００４５】
一方、図１１には本体に上部に突出された部材を形成してローラー部材に背中をかけたまま、この部分を握って伸ばしたり曲げて体を上、下に移動させる運動をすることもできる。
【産業上の利用可能性】
【００４６】
本発明は新しい形態の懸垂運動器具として、運動器具を製作する産業分野に広く活用されることができる。
【図１】
2016501076.tif 000003
【図２】
2016501076.tif 000004
【図４】
2016501076.tif 000005
【図５】
2016501076.tif 000006
【図６】
2016501076.tif 000007
【図７】
2016501076.tif 000008
【図８】
2016501076.tif 000009
【図９】
2016501076.tif 000010
【図１１】
2016501076.tif 000011
【図３】
2016501076.tif 000012
【図１０】
2016501076.tif 000013
【国際調査報告】
2016501076.tif 000014
2016501076.tif 000015
2016501076.tif 000016
2016501076.tif 000017